(57)【要約】【課題】質問者と回答者とに対して報酬を分配できるＱ＆Ａシステムを提供する【解決手段】管理サーバは、質問者端末から受信した質問情報と、回答者端末から受信した質問情報に対する回答情報とを関連づけて記憶させる質問回答管理部と、オーディエンス端末から回答情報の提供要求を受信すると、提供要求に対応する決済処理をオーディエンス端末に要求する決済情報管理部と、オーディエンス端末から決済処理の承認を受信すると、オーディエンス端末に回答情報を提供する回答閲覧管理部と、決済処理にかかる決済額の全部又は一部を所定の率で分配した質問者報酬と回答者報酬との情報を含む報酬分配情報を設定する報酬分配管理部と、を備える。【選択図】図８
2017224349.tif 000002
【特許請求の範囲】
【請求項１】
質問者端末と回答者端末とオーディエンス端末と管理サーバと、これらを接続するネットワークとを備えたＱ＆Ａシステムであって、
前記管理サーバは、
前記質問者端末から受信した質問情報と、前記回答者端末から受信した前記質問情報に対する回答情報とを関連づけて記憶させる質問回答管理部と、
前記オーディエンス端末から前記回答情報の提供要求を受信すると、前記提供要求に対応する決済処理を前記オーディエンス端末に要求する決済情報管理部と、
前記オーディエンス端末から前記決済処理の承認を受信すると、前記オーディエンス端末に前記回答情報を提供する回答閲覧管理部と、
前記決済処理にかかる決済額の全部又は一部を所定の率で分配した質問者報酬と回答者報酬との情報を含む報酬分配情報を設定する報酬分配管理部と、を備える
Ｑ＆Ａシステム。
【請求項２】
請求項１に記載のＱ＆Ａシステムであって、
前記回答情報は、音声データ、映像データ又はこれらのデータと文字データとを含むデータから構成される
Ｑ＆Ａシステム。
【請求項３】
請求項１又は２に記載のＱ＆Ａシステムであって、
前記報酬分配管理部は、一つの前記回答情報の閲覧要求数や一つの前記回答者端末に対する前記質問情報の数に応じて、前記質問者報酬及び前記回答者報酬の分配率を設定する
Ｑ＆Ａシステム。
【請求項４】
質問者端末と回答者端末とオーディエンス端末と管理サーバと、これらを接続するネットワークとを備えたＱ＆Ａシステムで実行される報酬分配方法であって、
前記質問者端末から受信した質問情報と、前記回答者端末から受信した前記質問情報に対する回答情報とを関連づけて記憶させ、
前記オーディエンス端末から前記回答情報の提供要求を受信すると、前記提供要求に対応する決済処理を前記オーディエンス端末に要求し、
前記オーディエンス端末から、前記決済処理の承認を受信すると、前記オーディエンス端末に、前記回答情報を提供し、
前記決済処理にかかる決済額の全部又は一部を所定の率で分配した質問者報酬と回答者報酬との情報を含む報酬分配情報を設定する
Ｑ＆Ａシステムにおける報酬分配方法。
【発明の詳細な説明】
【技術分野】
【０００１】
本発明は、Ｑ＆Ａシステム及びＱ＆Ａシステムにおける報酬分配方法に関する。
【背景技術】
【０００２】
インターネット等の広帯域回線を介して、Ｗｅｂブラウザや対応アプリケーションにより、質問者からの質問と回答者からの回答とを管理、表示するＱ＆Ａシステムが知られている。
【０００３】
例えば、質問に対して回答されたもののうち優れた回答に対しては質問者等により評価ポイントが与えられ、この回答者に与えられた評価ポイントが管理される。管理サーバは、回答者が複数のサイトにおいて回答を行う際に、獲得した評価ポイントに応じて回答権限を与え、一定の評価ポイントを獲得した回答者のみが回答を行えるサイトを設定するＱ＆Ａシステム（引用文献１参照）が開示されている。
【先行技術文献】
【特許文献】
【０００４】
【特許文献１】特開２００７−８７４３３号公報
【発明の概要】
【発明が解決しようとする課題】
【０００５】
従来技術では、Ｑ＆Ａシステムにおいて、回答者に与えられた評価ポイントに応じて回答権限が付されることで、一定の評価ポイントを獲得した回答者のみが回答できるサイトを設定することができるものの、課金や報酬に関する仕組みについては一切考慮されていなかった。そのため、Ｑ＆Ａサイトの質を維持することが難しいという問題があった。
【０００６】
本願発明は、このような問題に鑑みてなされたものであり、質問者と回答者とに報酬を分配することにより、Ｑ＆Ａシステムの質を高めることができるＱ＆Ａシステムを提供することを目的とする。
【課題を解決するための手段】
【０００７】
本発明のある実施態様によると、質問者端末と回答者端末とオーディエンス端末と管理サーバと、これらを接続するネットワークとを備えたＱ＆Ａシステムに適用される。管理サーバは、質問者端末から受信した質問情報と、回答者端末から受信した質問情報に対する回答情報とを関連づけて記憶させる質問回答管理部と、オーディエンス端末から回答情報の提供要求を受信すると、提供要求に対応する決済処理をオーディエンス端末に要求する決済情報管理部と、オーディエンス端末から決済処理の承認を受信すると、オーディエンス端末に回答情報を提供する回答閲覧管理部と、決済処理にかかる決済額の全部又は一部を所定の率で分配した質問者報酬と回答者報酬との情報を含む報酬分配情報を設定する報酬分配管理部と、を備えることを特徴とする。
【発明の効果】
【０００８】
上記態様によれば、オーディエンスからの決済額を、質問者と回答者とに対して報酬として所定の率で分配する仕組みを設けたので、報酬が支払われることで質問者及び回答者のモチベーション向上に加え、質問を創作する質問者に対しても、本システムに参画するモチベーション与えることができる。従って、Ｑ＆Ａサイトの質を向上させることができる。
【図面の簡単な説明】
【０００９】
【図１】本発明の実施形態によるＱ＆Ａシステムの概略構成図である。
【図２】本発明の実施形態によるＱ＆Ａシステムの質問アプリケーションの画面表示の一例を示す説明図である。
【図３】本発明の実施形態によるＱ＆Ａシステムの回答アプリケーションの画面表示の一例を示す説明図である。
【図４】本発明の実施形態によるＱ＆Ａシステムの閲覧アプリケーションの画面表示の一例を示す説明図である。
【図５】本発明の実施形態によるＱ＆Ａシステムの管理サーバの構成ブロック図である。
【図６】本発明の実施形態によるＱ＆Ａシステムの質問及び回答における管理サーバの処理のフローチャートである。
【図７】本発明の実施形態によるＱ＆Ａシステムの質問回答データの一例を示す説明図である。
【図８】本発明の実施形態によるＱ＆Ａシステムの閲覧における管理サーバの処理のフローチャートである。
【図９】本発明の実施形態によるＱ＆Ａシステムの報酬分配情報の説明図である。
【発明を実施するための形態】
【００１０】
以下、本発明の実施形態によるＱ＆Ａシステム１を図面を参照して説明する。
【００１１】
図１は、本発明の実施形態のＱ＆Ａシステム１の概略構成図である。
【００１２】
Ｑ＆Ａシステム１は、管理サーバ１０、質問者端末２０、回答者端末３０、オーディエンス端末４０及びネットワーク５０を備えて構成される。
【００１３】
管理サーバ１０は、本実施形態のＱ＆Ａシステム１を統合的に管理するサーバであり、Ｑ＆Ａシステム１における質問、回答及びこれらの閲覧に関する各種処理を実行する。
【００１４】
管理サーバ１０は、ＣＰＵ等の演算処理装置、記憶装置等を備えるコンピュータ（サーバ）により構成される。記憶装置に予めプログラム、アプリケーション等が記憶されており、ＣＰＵがこれを実行することにより、上記の各種処理を実行する。管理サーバ１０は、ネットワーク５０に接続され、質問者端末２０、回答者端末３０及びオーディエンス端末４０との間でデータの送受信を行なう。
【００１５】
管理サーバ１０は、データベース２００を管理する。データベース２００は、Ｑ＆Ａシステム１における質問及び回答や、Ｑ＆Ａシステム１を利用するユーザに関する情報を関連づけて記憶させる。
【００１６】
データベース２００は、管理サーバ１０の記憶装置の一部によって構成されていてもよいし、管理サーバ１０とは別のコンピュータをネットワーク５０に接続し、この別のコンピュータをデータベースとして機能させてもよい。
【００１７】
質問者端末２０は、質問者により操作される端末であり、質問者等の操作によって入力された質問を質問データ（質問情報）としてネットワーク５０を介して管理サーバ１０に送信する機能を有する。
【００１８】
回答者端末３０は、回答者により操作される端末であり、回答者等の操作によって入力された回答を回答データ（回答情報）としてネットワーク５０を介して管理サーバ１０に送信する機能を有する。
【００１９】
オーディエンス端末４０は、オーディエンス（質問者及び回答者とは異なる第三者）により操作される端末であり、質問データ及び回答データをネットワーク５０を介して管理サーバ１０から取得し、これらを閲覧する機能を有する。
【００２０】
ネットワーク５０は、ＬＡＮ（ＬＯＣＡＬ  ＡＲＥＡ  ＮＥＴＷＯＲＫ）及びインターネット等の広帯域通信網により構成され、管理サーバ１０、質問者端末２０、回答者端末３０及びオーディエンス端末４０を相互に通信可能に接続する。
【００２１】
次に、図２から図４を参照して、質問者端末２０、回答者端末３０及びオーディエンス端末４０の機能について説明する。
【００２２】
図１に示す質問者端末２０は、例えば、携帯電話やスマートホン等の携帯端末又はパーソナルコンピュータ（ＰＣ）により構成される。質問者端末２０は、ＣＰＵ等の演算処理装置、記憶装置、表示装置、入力装置及びネットワーク接続装置を備え、記憶装置に予め記憶されたプログラムをＣＰＵが実行することにより、質問アプリケーションを実行する。質問アプリケーションは、表示装置に質問及び回答に関する情報を表示したり、入力装置により入力されたユーザの操作を受領して、対応する処理を実行する。入力装置及び表示装置は、例えばタッチパネルにより構成される。また、入力装置及び表示装置は、マイク等の音声を入力する機能や、スピーカー等の音声を再生する機能を備える。
【００２３】
図２は、本実施形態の質問者端末２０のタッチパネル式の表示装置における質問アプリケーションの画面表示の一例を示す説明図である。
【００２４】
質問者端末２０で実行される質問アプリケーションは、回答者一覧１１０１、質問入力欄１１０２及び送信ボタン１１０３を、質問者端末２０の表示装置に表示する。
【００２５】
回答者一覧１１０１は、質問者端末２０から質問を行なうことが可能な回答者の一覧を、例えば顔写真やアイコンによって表示する。質問入力欄１１０２は、質問対象の回答者（ハッチングで示す）に対する文字データからなる質問データを入力装置を介して入力することが可能なフィールドである。送信ボタン１１０３は、これが操作された場合に入力された質問データを質問者端末２０から管理サーバ１０へと送信する操作ボタンである。
【００２６】
質問者端末２０が実行する質問アプリケーションは、質問データに対する回答があった場合は、ネットワーク５０を介して当該回答を受信し、質問者に対して視聴させる機能も有する。
【００２７】
質問アプリケーションは、質問者端末２０の記憶装置に予め記憶されているものであってもよいし、質問者端末２０で行なわれた操作をネットワーク５０を介して管理サーバ１０に送信し、管理サーバ１０で行なわれた処理結果をネットワーク５０を介して受信し、その結果を表示するＷｅｂアプリケーションであってもよい。
【００２８】
図１に示す回答者端末３０は、質問者端末２０と同様に、携帯電話やスマートホン等の携帯端末又はパーソナルコンピュータ（ＰＣ）により構成され、ＣＰＵ等の演算処理装置、記憶装置、表示装置、入力装置及びネットワーク接続装置を備え、記憶装置に予め記憶されたプログラムをＣＰＵが実行することにより、回答アプリケーションを実行する。入力装置及び表示装置は、例えばタッチパネルにより構成される。また、入力装置及び表示装置は、マイク等の音声を入力する機能や、スピーカー等の音声を再生する機能、カメラ等の映像を入力可能な機能を備える。
【００２９】
図３は、本実施形態の回答者端末３０のタッチパネル式の表示装置における回答アプリケーションの画面表示の一例を示す説明図である。
【００３０】
回答者端末３０で実行される回答アプリケーションは、質問データ表示欄２１０１、音声入力ボタン２１０２、音声確認ボタン２１０３、送信ボタン２１０４及び質問拒否ボタン２１０５を、表示装置に表示する。
【００３１】
質問データ表示欄２１０１は、管理サーバ１０から送信された質問データを、文字データとして表示する。音声入力ボタン２１０２は、これが操作されることにより、入力装置が備えるマイクを介して回答データとしての音声データを入力することが可能となる操作ボタンである。音声確認ボタン２１０３は、これが操作されることにより入力された音声データを再生する操作ボタンである。送信ボタン２１０４は、これが操作されることにより入力された回答データを回答者端末３０から管理サーバ１０へと送信する操作ボタンである。質問拒否ボタン２１０５は、これが操作されることにより質問に対する回答が拒否されたことを示す情報を管理サーバ１０へと送信する操作ボタンである。
【００３２】
回答アプリケーションに入力される回答データは、音声のみのデータであってもよいし、静止画や動画を含む映像データであってもよい。また、音声、静止画又は動画に加え、テキストデータ（文字による情報）を含めてもよい。
【００３３】
図１に示すオーディエンス端末４０は、質問者端末２０又は回答者端末３０と同様に、携帯電話やスマートホン等の携帯端末又はパーソナルコンピュータ（ＰＣ）により構成され、ＣＰＵ等の演算処理装置、記憶装置、表示装置、入力装置及びネットワーク接続装置を備え、記憶装置に予め記憶されたプログラムをＣＰＵが実行することにより、閲覧アプリケーションを実行する。入力装置及び表示装置は、例えばタッチパネルにより構成される。また、入力装置及び表示装置は、マイク等の音声を入力する機能や、スピーカー等の音声を再生する機能を備える。
【００３４】
図４は、本実施形態のオーディエンス端末４０のタッチパネル式の表示装置における閲覧アプリケーションの画面表示の一例を示す説明図である。
【００３５】
オーディエンス端末４０で実行される閲覧アプリケーションは、回答者一覧３１０１、質問表示欄３１０２及び再生ボタン３１０３を、回答者端末３０の表示装置に表示する。
【００３６】
回答者一覧３１０１は、オーディエンス端末４０から質問データ及び回答データの視聴を行なうことが可能な回答者の一覧を、例えば顔写真やアイコンによって表示する。質問表示欄３１０２は、オーディエンスにより選択された回答者（ハッチングで示す）への質問データが文字データとして表示される。再生ボタン３１０３は、これが操作された場合に質問データに対する回答データを管理サーバ１０から受信し、受信した回答データを表示装置を介して再生する操作ボタンである。
【００３７】
質問者端末２０で実行される質問アプリケーション、回答者端末３０で実行される回答アプリケーション及びオーディエンス端末４０で実行される閲覧アプリケーションは、これら全ての機能を備える同一のソフトウェアにより構成されていてもよい。すなわち、ユーザ情報に基づいて各端末ごとに利用できる機能を制限するように、管理サーバ１０が各端末に対する処理を行なってもよい。
【００３８】
次に、図５を参照して、本実施形態の管理サーバ１０の構成を説明する。
【００３９】
図５は、本実施形態の管理サーバ１０の機能ブロック図である。
【００４０】
管理サーバ１０は、質問回答管理部１１０、回答閲覧管理部１２０、ネットワーク管理部１３０、ユーザ管理部１４０、決済情報管理部１５０、報酬分配管理部１６０及びデータベース２００を備える。
【００４１】
質問回答管理部１１０は、質問者端末２０か送られた質問データと、回答者端末３０から送られた回答データとを関連付け、質問回答データとしてデータベース２００に記憶させる。
【００４２】
回答閲覧管理部１２０は、回答データの閲覧要求があった場合に、データベース２００に記憶された質問回答データを読み出して、要求元の端末に送信する。
【００４３】
ネットワーク管理部１３０は、ネットワーク５０を介した質問者端末２０、回答者端末３０及びオーディエンス端末４０との間のデータの送受信を管理する。
【００４４】
ユーザ管理部１４０は、質問者端末２０、回答者端末３０及びオーディエンス端末４０を利用する質問者、回答者及びオーディエンスに関するユーザ情報を管理する。ユーザ情報には、予め登録されたユーザＩＤやメールアドレス、携帯端末の固有情報及びパスワード並びにこれらの組み合わせの少なくとも一つからなる資格情報等が用いられる。
【００４５】
決済情報管理部１５０は、質問者、回答者及びオーディエンスに対する課金に関する情報を管理する。
【００４６】
報酬分配管理部１６０は、回答データが視聴されたときに徴収された課金額を、質問者端末２０及び回答者端末３０に対する報酬として分配する処理を実行する。
【００４７】
データベース２００は、質問回答データ及びユーザ情報等の各種情報を記憶する。データベース２００は、管理サーバ１０に備えられていてもよいし、管理サーバ１０とは物理的又は論理的に異なるデータベースサーバを備えて、ネットワーク５０を介して管理サーバ１０がアクセスできるように構成してもよい。さらに、質問回答データとユーザ情報とは、異なるデータベースに記憶されてもよい。
【００４８】
次に、このように構成された本実施形態のＱ＆Ａシステム１の動作を説明する。
【００４９】
本実施形態においては、管理サーバ１０は、質問者端末２０から質問が行なわれた場合に、質問者端末２０に対して課金を行なう。また、オーディエンス端末４０から質問データ及び回答データの閲覧要求があった場合に、オーディエンス端末４０に対し課金を行なう。
【００５０】
この課金額は、管理サーバ１０に対して、質問者端末２０からの質問の要求があった場合に、管理サーバ１０の決済情報管理部１５０が、対応する課金額を質問者端末２０の利用者である質問者のユーザ情報の課金に関する情報から徴収する。また、オーディエンス端末４０からの回答の閲覧要求があった場合に、管理サーバ１０の決済情報管理部１５０が、対応する課金額をオーディエンス端末４０の利用者であるユーザ情報の課金に関する情報から徴収する。
【００５１】
また、管理サーバ１０は、オーディエンス端末４０からの閲覧要求により得た課金額を、質問者端末２０及び回答者端末３０に対する報酬として分配する。報酬の分配は、オーディエンス端末４０から徴収した課金額を、後述するような分配の率により、質問者端末２０及び回答者端末３０に対してそれぞれ支払うことにより行なわれる。
【００５２】
課金及び報酬は、質問者端末２０を利用する質問者、回答者端末３０を利用する回答者及びオーディエンス端末４０を利用するオーディエンスの各ユーザに対して、銀行口座やクレジットカード、デビッドカード、携帯ベンダの料金システム等を介して直接徴収や支払を行なってもよい。または、これら各ユーザが保有するプリペイド方式の料金システムとを関連付けて徴収や支払を行なってもよい。または、本Ｑ＆Ａシステム１において流通する仮想通貨により、課金及び報酬を行なうように設定してもよい。具体的には、各ユーザが予め上記の方法により仮想通貨を購入し、購入した仮想通貨は管理サーバ１０のユーザ管理部１４０においてユーザと仮想通貨の残高とを対応付けて記録しておく。ユーザ管理部１４０は、閲覧要求等によりユーザに対する課金が発生した場合は、この仮想通貨から課金を差し引き、報酬が発生した場合には仮想通貨に報酬を加算する。
【００５３】
次に、質問者からの質問及び質問に対する回答の処理を説明する。
【００５４】
図６は、本実施形態の管理サーバ１０における質問及び回答の処理のフローチャートである。
【００５５】
ステップＳ１０において、管理サーバ１０は、質問を要求する質問者端末２０からの認証要求があるか否かを判定する。認証要求は、質問者端末２０又は質問者が、予め登録されたユーザ情報に含まれているかどうかの確認を管理サーバ１０に求める要求である。質問者端末２０から認証要求を受信した場合はステップＳ２０に移行する。そうでない場合は、管理サーバ１０は、ステップＳ１０の処理を繰り返し、待機する。
【００５６】
次に、ステップＳ２０において、管理サーバ１０は、質問者端末２０からのユーザ認証要求を受信した場合は、ユーザ管理部１４０は質問者のユーザ情報を確認する。ユーザ管理部１４０は、ユーザ情報に基づいて質問者端末２０の認証を行ない、認証が許可された場合には、質問者端末２０に対して質問アプリケーションを利用可能とする旨の情報を送信する。
【００５７】
質問者端末２０の認証が行なわれた場合は、管理サーバ１０は、質問を要求する質問者端末２０に対して、質問を行なうことに対する課金を行なう。具体的には、管理サーバ１０の決済情報管理部１５０は、質問者端末２０に対して、質問を行なうことに対して予め設定されている課金額の決済を求める情報としての決済要求を送信する。
【００５８】
このとき質問者端末２０では次のような処理が行なわれる、すなわち、質問アプリケーションが質問者に対する決済要求の承認を要求する表示を行なう。決済要求が承認された場合は、質問者端末２０は、管理サーバ１０に決済要求を承認した旨の情報が送信される。
【００５９】
ステップＳ３０において、管理サーバ１０は、質問者端末２０からの決済要求の承認があるか否かを判定する。質問者端末２０から決済要求の承認を受信した場合はステップＳ４０に移行する。そうでない場合は、管理サーバ１０は、ステップＳ３０の処理を繰り返し、待機する。
【００６０】
決済要求の承認があった場合は、ステップＳ４０において、管理サーバ１０の決済情報管理部１５０は、承認を行なった質問者端末２０に対応付けられて予め登録されている課金情報から、対応する課金額を差し引く。なお、課金額は、回答者ごとに一つの質問あたりの料金を管理サーバ１０において予め設定しておく。これにより、質問者端末２０にからの質問の要求に対する決済処理が完了し、質問者端末２０からの質問の要求を受け付ける準備が完了する。なお、質問者端末２０に対して課金を行なわない場合は、ステップＳ２０からステップＳ４０の処理を実行しなくてもよい。
【００６１】
このとき質問者端末２０では次のような処理が行なわれる、すなわち、質問アプリケーションを介して質問者からの操作による質問を受け付ける処理が実行される。質問者端末２０は、前述の質問アプリケーションにより質問者からの質問データを受け付け、質問データをネットワーク５０を介して管理サーバ１０に送信する。質問者端末２０は、図２に示す質問アプリケーションにおいて、質問者により回答者一覧１１０１から質問を行なう回答者が選択されると、当該回答者に対する質問を入力する質問入力欄１１０２を表示する。質問者が質問入力欄１１０２に質問を入力し、送信ボタン１１０３を操作した場合は、質問者端末２０は、入力された質問を質問データとして管理サーバ１０に送信する。
【００６２】
ステップＳ５０において、管理サーバ１０は、質問者端末２０から質問アプリケーションを介して質問データを受信したか否かを判定する。質問者端末２０から質問データを受信した場合はステップＳ６０に移行する。そうでない場合は、管理サーバ１０は、ステップＳ５０の処理を繰り返し、待機する。
【００６３】
ここで、管理サーバ１０において、質問者端末２０から送信された質問データを受信すると、質問回答管理部１１０は、受信した質問データに対して、質問ＩＤ、質問者ＩＤ及び回答者ＩＤを関連づけて、データベース２００に記憶させる。
【００６４】
次に、ステップＳ６０において、管理サーバ１０は、送信された質問データを、回答を促すための通知と共に回答者端末３０に送信する。
【００６５】
なお、ステップＳ６０において、質問回答管理部１１０は、回答者端末３０に通知を送信する前に、Ｑ＆Ａシステム１を管理する管理者に対して質問があった旨を示す情報及び管理者に承認を求める表示を行ない、管理者が承認を行なう意思が確認できた場合に限って、回答者端末３０に通知を送信するように設定してもよい。
【００６６】
また、質問内容にふさわしくない「ＮＧワード」をデータベース２００に予め記憶しておき、質問回答管理部１１０が、質問内容にＮＧワードが含まれているか否かを判定し、含まれていた場合は、回答者端末３０に通知を行なわないように処理してもよい。
【００６７】
このとき回答者端末３０では次のような処理が行なわれる、すなわち、回答アプリケーションが管理サーバ１０から質問があった旨の通知を受信した場合に、回答アプリケーションにおいて、回答者に対して質問があった旨を表示する。回答者は、質問に対して音声による回答を行なう。回答者端末３０は、図３に示す回答アプリケーションにおいて、音声入力ボタン２１０２が操作されることで回答者からの音声が入力される。音声は例えば６０秒とする。回答アプリケーションにおいて、音声が入力され、送信ボタン２１０４が操作された場合は、回答者端末３０は、入力された音声を回答データとして、管理サーバ１０へと送信する。なお、回答者は質問に対する回答を拒否することもできる。回答アプリケーションにおいて、回答者が質問拒否ボタン２１０５を操作した場合は、回答者端末３０は、質問に対する回答を拒否した旨の情報を管理サーバ１０に送信する。
【００６８】
次に、ステップ７０において、管理サーバ１０は、回答者端末３０から回答データを受信したか否かを判定する。回答者端末３０から回答データを受信した場合はステップＳ８０に移行する。そうでない場合、例えば所定の期間を超えても回答データが送られていない場合や回答を拒否した旨の情報を受信した場合は、管理サーバ１０の質問回答管理部１１０は、その旨を質問者端末２０に送信すると共に当該質問データは無効として破棄する。このとき、決済情報管理部１５０は、質問時の決済処理による課金額を質問者に返還する処理を行なってもよい。
【００６９】
管理サーバ１０において、質問回答管理部１１０が、回答者端末３０から質問に対する回答データを受信すると、質問回答管理部１１０は、既に記憶されている質問データと受信した回答データとを関連づけた質問回答データを作成し、データベース２００に記憶させる。
【００７０】
図７は、本実施形態の質問回答データの一例を示す説明図である。
【００７１】
質問回答データは、既に受信した質問データに関連づけられた質問ＩＤ、質問者ＩＤ及び回答者ＩＤに、質問データ及び回答データを含んで構成される。なお、質問回答データには、オーディエンス端末４０から要求された閲覧要求の累計数である閲覧要求数も含む。
【００７２】
ステップＳ１００において、管理サーバ１０の質問回答管理部１１０は、質問者端末２０に対して、質問に対する回答があった旨を送信する。
【００７３】
このとき質問者端末２０では次のような処理が行なわれる、すなわち、質問アプリケーションにより管理サーバ１０から質問に対する回答があった旨を表示する。質問者が回答データの閲覧を要求した場合は、質問者端末２０は、質問データに対する回答データを管理サーバ１０の質問回答管理部１１０を介して取得する。質問アプリケーションは、取得した回答データを再生する。なお、管理サーバ１０は、質問者端末２０から回答データの閲覧要求がなされた場合は、後述するオーディエンス端末４０に対する処理と同様に課金処理を実行してもよい。
【００７４】
管理サーバ１０は、このような一連の処理により、質問データと質問データに対する回答データとを、データベース２００に質問回答データベースとして記憶する。
【００７５】
次に、質問データと質問データに対する回答データとの閲覧の処理を説明する。
【００７６】
図８は、本実施形態によるＱ＆Ａシステム１の回答データの閲覧のフローチャートである。
【００７７】
ステップＳ１１０において、管理サーバ１０は、オーディエンス端末４０からの認証要求があるか否かを判定する。認証要求は、オーディエンス端末４０又はオーディエンスが、予め登録されたユーザ情報に含まれているかどうかの確認を管理サーバ１０に求める要求である。オーディエンス端末４０から認証要求を受信した場合はステップＳ１２０に移行する。そうでない場合は、管理サーバ１０は、ステップＳ１１０の処理を繰り返し、待機する。
【００７８】
管理サーバ１０がオーディエンス端末４０からのユーザ認証要求を受信した場合は、ステップＳ１２０において、管理サーバ１０のユーザ管理部１４０が、オーディエンスのユーザ情報を確認する。ユーザ管理部１４０は、ユーザ情報に基づいてオーディエンス端末４０の認証を行なう。認証が許可された場合には、オーディエンス端末４０に対して、閲覧アプリケーションを利用可能とする旨の情報を送信する。
【００７９】
このときオーディエンス端末４０では次のような処理が行なわれる、すなわち、閲覧アプリケーションにおいて、オーディエンスからの操作により回答データの閲覧要求を受け付ける。オーディエンス端末４０は、図４に示す閲覧アプリケーションにおいて、回答を行なった回答者の一覧を回答者一覧３１０１に表示する。オーディエンスにより回答者一覧３１０１から回答者が選択されると、オーディエンス端末４０は、当該回答者に対してなされた質問データを管理サーバ１０の質問回答管理部１１０から取得して、質問表示欄３１０２に表示する。オーディエンスが再生ボタン３１０３を操作した場合は、オーディエンス端末４０は、回答データを提供する要求（閲覧要求）を管理サーバ１０に送信する。
【００８０】
ステップＳ１３０において、管理サーバ１０は、オーディエンス端末４０からの閲覧要求があるか否かを判定する。オーディエンス端末４０から閲覧要求を受信した場合はステップＳ１４０に移行する。そうでない場合は、管理サーバ１０は、ステップＳ１３０の処理を繰り返し、待機する。
【００８１】
閲覧要求があった場合は、ステップＳ１４０において、管理サーバ１０は、オーディエンス端末４０に対して課金額の決済を行なう。具体的には、管理サーバ１０の決済情報管理部１５０は、オーディエンス端末４０に対して閲覧要求に対する課金額の決済要求を送信する。
【００８２】
このときオーディエンス端末４０では次のような処理が行なわれる、すなわち、閲覧アプリケーションがオーディエンスに対して決済要求の承認を要求する表示を行なう。オーディエンス端末４０において決済要求を承認した場合に、オーディエンス端末４０は管理サーバ１０に対して、決済要求の承認があった旨を送信する。
【００８３】
管理サーバ１０の決済情報管理部１５０は、決済要求の承認があった旨を受信した場合は、承認を行なったオーディエンス端末４０に対応するオーディエンスの課金情報から、課金額を差し引く。なお、課金額は、回答者ごとに一つの回答の閲覧要求あたりの料金を管理サーバ１０において予め設定しておくことで、オーディエンス端末４０による閲覧要求に対する決済処理が完了する。
【００８４】
次に、ステップＳ１５０において、管理サーバ１０の回答閲覧管理部１２０は、決済情報管理部１５０が決済要求の承認が行なわれことを確認した場合に、オーディエンス端末４０に対して回答データを送信する。これにより、オーディエンス端末４０の閲覧アプリケーションが、送信された回答データを再生可能とする。オーディエンスは回答データを、オーディエンス端末４０の表示装置により視聴する。
【００８５】
次に、ステップＳ１６０において、管理サーバ１０は、報酬の分配を決定する。管理サーバ１０の報酬分配管理部１６０は、上記ステップＳ１４０で取得した課金額を、質問者端末２０に対する質問者報酬と回答者端末３０に対する回答者報酬との分配の率に関する情報を含む報酬分配情報として設定する。
【００８６】
そして、ステップ１７０において、設定された報酬分配情報における分配の率に基づいて、質問者端末２０に対応して記録されている質問者報酬と、回答者端末３０に対応して記録されている回答者報酬とを支払う処理を実行する。
【００８７】
このような操作により、管理サーバ１０が、質問に対する回答データの閲覧及び報酬の分配を行なうことができる。
【００８８】
次に、本実施形態の報酬の分配について説明する。
【００８９】
図９は、本実施形態のＱ＆Ａシステム１における報酬分配情報の説明図である。
【００９０】
報酬分配管理部１６０は、オーディエンス端末４０から回答データの閲覧要求があり、オーディエンス端末４０に対して決済要求の承認が行なわれた場合に、当該回答データに対する質問者報酬と回答者報酬との分配の率を、報酬分配情報として設定する。
【００９１】
報酬分配管理部１６０は、例えば、質問者と回答者とで均等となるように報酬分配情報を設定する。
【００９２】
報酬分配管理部１６０は、質問者報酬と回答者報酬との分配の率を、所定の条件（回答データの閲覧数や質問者に対する質問の数等）に応じて、様々な割合に設定することができる。
【００９３】
一例として、報酬分配管理部１６０は、質問者と回答者とに均等に分配するような設定とすることができる。より具体的には、オーディエンスが回答データを視聴する場合に「１５０円（又は対応する仮想通貨）」の課金額が必要であるように設定されている場合は、ユーザ管理部１４０は、「１５０円」の課金額から、質問者に「５０円」、回答者に「５０円」の課金額を報酬として還元する。すなわち、質問者と回答者とで、報酬が「１：１」に分配されるように報酬分配情報を設定する。なお、管理サーバ１０の管理者に対しては、管理費用として「５０円」が分配される。
【００９４】
前述のように、受け取った課金額から管理者への報酬を除いた分を、質問者と回答者とで均等に分配するように報酬分配情報を設定とすることができる。また、受け取った課金額から管理者の報酬を除かずに、質問者と回答者とで分配するように報酬分配情報を設定してもよい。
【００９５】
また、一つの回答データに対するオーディエンス端末４０からの閲覧要求数の多さに応じて、質問者報酬の重み付けが回答者報酬よりも大きくなるように報酬分配情報を設定することもできる。例えば、回答データの閲覧要求数が「１０」であった場合は質問者と回答者との報酬の割合を「６：４」とし、回答データの閲覧要求数が「１００」であった場合は質問者と回答者との報酬の割合を「８：２」となるように、回答データの閲覧要求数に応じて、質問者報酬の重み付けが大きくなるように報酬分配情報を設定してもよい。また、これとは逆に、オーディエンス端末４０から閲覧要求数の多さに応じて、回答者報酬の重み付けが質問者報酬よりも大きくなるように報酬分配情報を設定してもよい。
【００９６】
同様に、一つの回答者端末３０に対する質問数の多さに応じて、質問者報酬の重み付けが回答者報酬よりも大きくなるように報酬分配情報を設定することもできる。これとは逆に、一つの回答者端末３０に対する質問数の多さに応じて、回答者報酬の重み付けが質問者報酬よりも大きくなるように報酬分配情報を設定してもよい。
【００９７】
また、回答者の属性に基づいて、回答者報酬の重み付けが質問者報酬よりも大きくなるように報酬分配情報を設定してもよい。回答者が有名人、著名人である場合、具体的には、ＳＮＳのフォロワー数や検索エンジンにあける検索数が多いほど、回答者報酬の重み付けが質問者報酬よりも大きくなるように報酬分配情報を設定してもよい。また、これとは逆に、回答者がより有名人、著名人である場合に、質問者報酬の重み付けが回答者報酬よりも大きくなるように報酬分配情報を設定してもよい。
【００９８】
また、質問の内容の重要度や質問の質の高さ等を回答者やオーディエンスが評価を行ない、質問の重要度や評価の高さに応じて、質問者報酬の重み付けが回答者報酬よりも大きくなるように報酬分配情報を設定してもよい。
【００９９】
以上説明したように、本発明の実施形態のＱ＆Ａシステム１は、質問者端末２０と回答者端末３０とオーディエンス端末４０と管理サーバ１０と、これらを接続するネットワーク５０とを備えて構成される。
【０１００】
このように構成されたＱ＆Ａシステム１において、管理サーバ１０は、質問者端末２０から受信した質問データ（質問情報）と、回答者端末３０から受信した質問データに対する回答データ（回答情報）とを関連づけて記憶させる質問回答管理部と、オーディエンス端末４０から回答データの提供要求を受信すると、提供要求に対応する決済処理をオーディエンス端末４０に要求する決済情報管理部と、オーディエンス端末４０から決済処理の承認を受信すると、オーディエンス端末４０に回答データを提供する回答閲覧管理部と、決済処理にかかる決済額の全部又は一部を所定の率で分配した質問者報酬と回答者報酬との情報を含む報酬分配情報を設定する報酬分配管理部と、を備える。
【０１０１】
本発明の実施形態は、このような構成により、オーディエンス端末４０に対する回答の提供要求に対して課金を行ない、この課金額を、質問者と回答者とで所定の率で分配することができる。このように、質問者と回答者とに対して報酬として所定の率で分配する仕組みを設けたので、報酬が支払われることで質問者及び回答者のモチベーションが向上し、Ｑ＆Ａシステム１の質を向上させることができる。
【０１０２】
特に、本発明の実施形態では、回答者に対して報酬が支払われるだけでなく、質問者に対しても報酬が還元されるシステムである。このような構成により、回答者は、回答に対する意欲が向上し、質問者は、より多くの人が関心を抱くような質問の創作意欲が向上して、質問及び回答が活性化するので、Ｑ＆Ａシステム１の質を向上させることができる。
【０１０３】
またさらに、回答データは、音声データ及び動画データの少なくとも一つを含むので、臨場感のある音声データ、動画データにより臨場感のある回答を聴取することができる。
【０１０４】
またさらに、管理サーバ１０の決済情報管理部１５０は、質問者端末２０から質問の要求を受信すると、質問の要求に対して予め設定されている課金額を、当該質問者端末２０に対応付けられた課金情報から差し引くように構成したので、質問者に対して課金を行なうことにより、Ｑ＆Ａシステム１の質を向上させることができる。
【０１０５】
またさらに、管理サーバ１０の報酬分配管理部１６０は、一つの回答データの閲覧要求数が多いほど、質問者報酬の分配率が大きくなるように、又は、回答者報酬の分配率が大きくなるように、報酬分配情報を設定するので、質問者は、より多くの人が関心を抱くような質問の創作意欲が向上し、回答者もより多くの人が興味を抱くような回答の創作意欲が向上するので、Ｑ＆Ａシステム１の質を向上させることができる。
【０１０６】
またさらに、管理サーバ１０の報酬分配管理部１６０は、一つの回答者端末に対する質問数が多いほど、質問者報酬の分配率が大きくなるように、又は、回答者報酬の分配率が大きくなるように、報酬分配情報を設定するので、質問者は、より多くの人が関心を抱くような質問の創作意欲が向上し、回答者もより多くの人が興味を抱くような回答の創作意欲が向上し、Ｑ＆Ａシステム１の質を向上させることができる。
【０１０７】
以上、本発明の実施形態について説明したが、上記実施形態は本発明の適用例の一つを示したものに過ぎず、本発明の技術的範囲を上記実施形態の具体的構成に限定する趣旨ではない。
【０１０８】
本実施形態において、オーディエンス端末４０に対する課金額を質問者及び回答者への報酬として分配する例を説明したが、これに限られない。例えば第三者からの出資、より具体的には、Ｑ＆Ａシステム１への広告の出稿者や、回答者が所属する団体からの出資を、質問者及び回答者への報酬として分配するように設定してもよい。
【符号の説明】
【０１０９】
１    Ｑ＆Ａシステム
１０    管理サーバ
２０    質問者端末
３０    回答者端末
４０    オーディエンス端末
５０    ネットワーク
１１０    質問回答管理部
１２０    回答閲覧管理部
１３０    ネットワーク管理部
１４０    ユーザ管理部
１５０    決済情報管理部
１６０    報酬分配管理部
２００    データベース
【図１】
2017224349.tif 000003
【図２】
2017224349.tif 000004
【図３】
2017224349.tif 000005
【図４】
2017224349.tif 000006
【図５】
2017224349.tif 000007
【図６】
2017224349.tif 000008
【図７】
2017224349.tif 000009
【図８】
2017224349.tif 000010
【図９】
2017224349.tif 000011